(57)【要約】【課題】カードの搭載可能枚数を減らずに、省スペースの光伝送装置のシェルフ構造を実現する。【解決手段】シェルフ用のインタフェース部分を、カードに収容し、構造の無駄を省く事で、高密度のシェルフ構造を可能とする。【選択図】  図１
2011086686.tif 000002
【特許請求の範囲】
【請求項１】
筺体と、
前記筺体より内側に位置するカード搭載部と、
前記カード搭載部に搭載される第1のカードを備える光伝送装置であって、
前記第１のカードは、
前記筺体のスイッチと、前記筺体へのコネクタと、前記筺体の状態を示す第１表示部とを備えることを特徴とする光伝送装置。
【請求項２】
前記第１のカードは、前記第１のカードの状態を示す第２表示部をさらに備えることを特徴とする請求項１に記載の光伝送装置。
【請求項３】
前記カード搭載部は、複数の他のカードをさらに搭載することを特徴とする請求項１に記載の光伝送装置。
【請求項４】
前記筺体から供給される電源のうち前記第1表示部への電源を制御する第1電源制御部と、前記筺体から供給される電源のうち前記第1のカードの制御のための電源を制御する第２電源制御部とをさらに有するとを特徴とする請求項１に記載の光伝送装置。
【請求項５】
前記第１表示部と前記第２表示部とは、各々ランプであることを特徴とする請求項２に記載の光伝送装置。
【請求項６】
前記カード搭載部の開口面を覆うように配置されるカバーをさらに有することを特徴とする請求項１に記載の光伝送装置。
【請求項７】
前記カバー部は、前記第１表示部が可視となる状態で設置されることを特徴とする請求項６に記載の光伝送装置。
【請求項８】
前記カバー部は、前記筺体のスイッチと、前記筺体へのコネクタの各々に対応する切りかけ部を備えることを特徴とする請求項６に記載の光伝送装置。
【請求項９】
前記他のカードは複数のポートを有するものであり、複数の前記ポートごとに対応して設置されるクランプと、前記クランプの取付具とをさらに有することを特徴とする請求項３に記載の光伝送装置。
【請求項１０】
前記クランプは、前記複数のポートに接続される複数のファイバーについて複数の前記ポートごとに対応して収容することを特徴とする請求項９に記載の光伝送装置。
【請求項１１】
前記他のカードは複数のポートを有するものであり、前記複数のポートに接続される複数のファイバーについて複数の前記ポートごとにずらして収容する複数のファイバ収容溝を備える部材をさらに有することを特徴とする請求項３に記載の光伝送装置。
【発明の詳細な説明】
【技術分野】
【０００１】
本発明は、省スペースに設置する光伝送装置に関する。
【背景技術】
【０００２】
光伝送装置では、１つのシェルフ（筺体）の中に、様々な種類のカードを搭載する。搭載するカードは、種類や枚数を、ユーザニーズに対応して高速、低速に対応する光伝送インタフェースや、冗長構成有無を考慮してフレキシブルに組み合わされる。
【０００３】
近年では、１台の光伝送装置でサポートする伝送容量の大容量化への要求が増えてきており、技術向上により同容量や、サイズを小さくした上での装置の大容量化も可能となってきている。性能的には低速インタフェースを収容可能なポート数も増えてきているが、それを収容しようとした場合、多数のファイバやコネクタが必要となり、ポート数分だけ占有面積が増大してしまうという課題がある。
【０００４】
また、光伝送装置が設置される局には、既に様々な装置が設置されており、新規の装置を導入する場合に、専用の設置場所を確保する事が困難である。そのため、複数の装置を１つの架に共存させる形態での設置が必要となってきている。
【０００５】
光伝送装置で、省スペースを図る技術としては、例えば特許文献１に記載の光信号の送受信状態を表示する発光素子に関する部材を筺体に設ける技術がある。
【先行技術文献】
【特許文献】
【０００６】
【特許文献１】特開2004-70241
【発明の概要】
【発明が解決しようとする課題】
【０００７】
複数の装置を１つの架に共存させるとき、既に設置した装置以外の空いているスペースを利用する場合や、今後の他装置の設置予定を考慮しての設置となるために、シェルフを可能な限りに省スペース化することが望ましい。
【０００８】
現状の光伝送装置のシェルフ構造では、カードの搭載可能枚数はシェルフの高さの影響を受ける。カード搭載可能枚数を減らす事でのシェルフの省スペース化では、カード減数による機能低下にて大容量化が実現できない。
【０００９】
そこで、光伝送装置のシェルフ構造での無駄なスペースを省き、カードの搭載枚数を確保しつつ、省スペース化を実現する事が課題となる。
【課題を解決するための手段】
【００１０】
本発明による光伝送装置は一例として、筺体と、前記筺体より内側に位置するカード搭載部と、前記カード搭載部に搭載される第1のカードを備える光伝送装置であって、前記第１のカードは、前記筺体のスイッチと、前記筺体へのコネクタと、前記筺体の状態を示す第１表示部とを備えることを特徴とする。
【発明の効果】
【００１１】
光伝送装置のシェルフにおいて、カード搭載可能枚数を縮小する事なく、すなわち、機能低下させる事なく、シェルフの高さを縮小して高密度化を実現する事ができる。
【図面の簡単な説明】
【００１２】
【図１】光伝送装置のシェルフ構造の実施例。
【図２】従来の光伝送装置のシェフル構造の例。
【図３】シェルフ用ランプ、スイッチ、コネクタを搭載するカードの実施例。
【図４】従来の光伝送装置の前面保護カバーの例。
【図５】光伝送装置の前面保護カバーの実施例。
【図６】複数のファイバを収容する実施例。
【発明を実施するための形態】
【００１３】
本発明の実施する形態の例を図１に、従来のシェルフ構造を図２に示す。
【００１４】
図２の従来のシェルフ構造では、シェルフ（筺体）100は、カード搭載領域104とは異なる領域にシェルフに対する制御を行うシェルフ用スイッチ105、シェルフの制御監視を行う外部装置とのインタフェースとしてシェルフ用コネクタ106、シェルフの状態を示すシェルフ用ランプ107が搭載されている。カード搭載領域では、常時、搭載されている搭載カード＃1（101）と、高速、低速インタフェースのカードで、ユーザニーズによりフレキシブルに種類や搭載有無が決定される搭載カード＃2（102）から搭載カード＃ｎ（103）が搭載される。
【００１５】
また、各カードには、カードの状態などを示す表示部（ランプ108,109,110）がカードごとに搭載される。
【００１６】
本実施例では、シェルフ用スイッチ105、シェルフ用コネクタ106、シェルフ用ランプ107を、カード搭載領域に搭載されている搭載カード＃1（101）に搭載する。搭載カード#1（101）は、従来は、シェルフに構成されていたスイッチ、コネクタ、ランプといった機能を含む制御用インターフェースをカードに搭載したものであるため、従来のインターフェースの占有領域に当該カードを搭載することが可能となり、光伝送装置全体としての機能を向上させることが可能となる。
【００１７】
図3に搭載カード＃1（101）の構成を示す。
【００１８】
搭載カード＃1（101）は、カード自身の機能を制御する搭載カード＃1機能部307と、シェルフそのものを制御するシェルフ監視制御機能部306を搭載して、搭載カード＃2（102）や搭載カード＃ｎ（103）を含めてシェルフ全体を制御する役割を持つ。シェルフ監視制御機能部306と、そのシェルフ監視制御機能部306とのインタフェースであるシェルフ用ランプ制御部302、シェルフ用スイッチ検出部303、シェルフ用コネクタ304を搭載カード＃1（101）に搭載する事で、シェルフ全体としての省スペース化が図れる。
【００１９】
また、シェルフ用ランプ制御部302は、シェルフの状態を示すものであり、搭載カード＃1（101）の状態に影響を受けてはならない。例えば、シェルフ監視制御機能部用電源供給部308が故障状態であったとしても、シェルフ用ランプ制御部302は動作しなければならない。従って、搭載カード＃1（101）上の別の機能部とは独立した電源供給とする必要があり、シェルフ電源301からシェルフ用ランプ制御部用電源（電源供給範囲を305で記載）と搭載カード＃1用電源（電源供給範囲を309で記載）に分離される。電源の分離は、搭載カード＃1（101）の電源供給部を、シェルフ用ランプ制御部電源供給部310とシェルフ監視制御部用電源供給部308として設置し、シェルフ電源301からの電源を分岐して各々に供給し、シェルフ用ランプ制御部用電源層305と搭載カード＃1用電源層309という独立した２つの電源層を生成する事で実現する。
【００２０】
光伝送装置では、１つのシェルフ、あるいは複数のシェルフの連結配置にて、光伝送ネットワークに接続される光伝送装置を構成する。１つの光伝送装置におけるシェルフが１つになるか複数になるかは、各装置の仕様や伝送容量に起因し、いずれとすることも可能である。
【００２１】
次に、シェルフ構造でのカード搭載領域を保護するカバーの例について記載する。光伝送装置では、運用中のファイバ等への誤接触を考慮して、カバーによってカード搭載領域を保護する。従来のシェルフ構造での保護カバーを図４に、本実施例に適用する保護カバーを図５に示す。
【００２２】
従来のシェルフ構造では、シェルフ用スイッチ105、シェルフ用コネクタ106、シェルフ用ランプ107は、特に保護する必要がないために、保護カバー401の配置領域外に搭載されている。この場合、保護カバー401は、カードのファイバ等への誤接触だけを考慮すればよい。
【００２３】
しかし、本実施例では、シェルフ用スイッチ105、シェルフ用コネクタ106、シェルフ用ランプ107がカードに搭載されるために、搭載先のカードの配置領域も保護カバー501によるカバーの対象となる。従って、保護カバー501は、カード搭載領域104の開口面を覆うように配置する。このとき、保護カバー501では、搭載した状態でランプを可視できるようにする。具体的には、実質的に透明な部材にするか、あるいは、少なくともランプの近傍に穴を複数設置した部材などとする。また、スイッチへの操作やコネクタの接続が可能なように、スイッチ、コネクタの各々に対応する切りかけ部を設けたり、ケーブル類の配置部材を確保する。
【００２４】
次に、１枚のカードに対応して多数ファイバを収容する例を図６に示す。
【００２５】
複数のポートごとに対応して、１つのクランプ603にて複数のファイバを収容する。１つのクランプで全ファイバを収容しようとすると、クランプへの負荷が高くなる。また、ファイバにも圧力が生じてしまい保守性で問題がある。本実施例の構成により、これらの課題を解決する。なお、クランプ取付金具602を利用してクランプ603を前面側に突き出す構造とする。これにより、ファイバの曲げ半径の確保を行う事ができる。
【００２６】
さらに、前面保護カバー取付金具601に、スロット単位（上記の複数のポートごとの単位）にずらしたファイバ収容溝604を設けて、ファイバの密集を防止することが可能となる。特に、ファイバの収容数が多い低速インタフェースのカードが複数搭載された際にはファイバの密集を確実に防止できる。
【符号の説明】
【００２７】
100：シェルフ
101、102、103：搭載カード
104：カード搭載領域
105：シェルフ用スイッチ
106：シェルフ用コネクタ
107：シェルフ用ランプ
108、109、110：搭載：カード用ランプ
301：シェルフ電源
302：シェルフ用ランプ制御部
303：シェルフ用スイッチ検出部
304：シェルフ用コネクタ
305：シェルフ用ランプ制御部電源
306：シェルフ監視制御機能部
307：搭載カード＃1機能部
308：シェルフ監視制御機能部用電源供給部
309：搭載カード＃1用電源
310：シェルフ用ランプ制御部用電源供給部
401：現状の前面保護カバー
501：前面保護カバー
601：前面保護カバー取付金具
602：クランプ取付金具
603：クランプ
604：ファイバ収容溝
【図１】
2011086686.tif 000003
【図２】
2011086686.tif 000004
【図３】
2011086686.tif 000005
【図４】
2011086686.tif 000006
【図５】
2011086686.tif 000007
【図６】
2011086686.tif 000008